(57)【要約】      （修正有）【課題】より装着感がよく、かつ使い勝手を向上させたリング状の指ぬきを提供する。【解決手段】本考案の指ぬきＡは、革製の帯材１を有し、この帯材１の長手方向の両端部１ａ，１ｂどうしを縫合してリング状とされている。また、該帯材１は、一枚の革製シート体を２重に折り畳むことにより、リング状の内側と外側に位置する２つの部分片が重なり合うように構成する。該部分片の間には、例えば、革製の補強片を挟み込んで構成する。【選択図】図１
0003146885.tif 000002
【実用新案登録請求の範囲】
【請求項１】
革製の帯材を有し、この帯材の長手方向の両端部どうしを縫合してリング状とされていることを特徴とする、指ぬき。
【請求項２】
上記帯材は、一定幅をもって帯状に延びる革製シート体をその短手方向に折り畳むことにより、複数の部分片が重なり合う構成とされている、請求項１に記載の指ぬき。
【請求項３】
上記革製シート体は、表皮側が露出するように折り畳まれている、請求項２に記載の指ぬき。
【請求項４】
上記複数の部分片の間には、補強片が設けられている、請求項２または３に記載の指ぬき。
【考案の詳細な説明】
【技術分野】
【０００１】
本考案は、指ぬきに関し、特に指に嵌めて使用するリング状の指ぬきに関する。
【背景技術】
【０００２】
指ぬきは、裁縫やパッチワークをするときに指に嵌め、針の頭を押すために使用する用具である。この指ぬきのうち、たとえば、中指に嵌める指輪タイプのものが知られている。図４は、このような指輪タイプの指ぬきの従来例を示している。同図に示された指ぬきＸは、金属製の基材９からなり、この基材９が所定幅を有するリング状に形成されたものである。指ぬきＸには、外周面全体にわたり、針の頭部が嵌まる複数の凹部９１が設けられている。指ぬきＸは、裁縫において、指の側面部分を針の頭部に押し当てながら運針を行うときに使用するのに適している。針の頭部に指ぬきＸを押し当てると、針の頭部がいずれかの凹部９１に嵌まるので、滑ることなく針を押すことができる。また、指ぬきＸは金属製であるため、強い力で針に押し当てても、指を傷めることはない。
【０００３】
しかしながら、上記構成の指ぬきは、金属製であるため、装着時におけるフィット感があまり良くない。このため、使用時において、指ぬきが指の挿入方向に動く、あるいは周方向に回転するなど、容易にずれてしまう傾向にあった。このように、上記従来の指ぬきは、装着感や使い勝手において、改善の余地があった。
【考案の開示】
【考案が解決しようとする課題】
【０００４】
本考案は、このような事情のもとで考え出されたものであって、より装着感がよく、かつ使い勝手を向上させたリング状の指ぬきを提供することをその課題としている。
【課題を解決するための手段】
【０００５】
上記の課題を解決するため、本考案では、次の技術的手段を講じている。
【０００６】
本考案によって提供される指ぬきは、革製の帯材を有し、この帯材の長手方向の両端部どうしを縫合してリング状とされていることを特徴としている。
【０００７】
このような構成の指ぬきによれば、革製のリング状とされているので、多少の伸縮性を有し、内径寸法の融通性を備えている。このため、指ぬきの使用時には、指にぴったりとフィットし、装着感に優れている。革製の指ぬきであれば、当該指ぬきを介して指の側面部分を針の頭部に押し当てても、皮革素材の柔軟性によって針が滑ることはない。また、指ぬきが指にフィットしていることから、指の挿入方向、あるいは周方向にずれることもなく、使い勝手も良い。
【０００８】
また、上記構成の指ぬきは、革製の帯材の長手方向両端部どうしを縫合して形成されたものであるので、周方向において略一様なエンドレスのリングとなっている。したがって、指への装着時には、指ぬきが指に対して周方向のいかなる位置にあっても、指を適切に保護することができる。
【０００９】
好ましい実施の形態においては、上記帯材は、一定幅をもって帯状に延びる革製シート体をその短手方向に折り畳むことにより、複数の部分片が重なり合う構成とされている。このような構成によれば、部分片が複数枚積層された状態となっているので、たとえば一枚革に比べて、針の頭部を押す部分の強度が実質的に高められ、使用を繰り返しても、指ぬきの厚み方向において針が突き抜けるといった事態を防止することができる。
【００１０】
好ましい実施の形態においては、上記革製シート体は、表皮側が露出するように折り畳まれている。このような構成によれば、指ぬきの外観体裁が向上する。
【００１１】
好ましい実施の形態においては、上記複数の部分片の間には、補強片が設けられている。このような構成によれば、針の頭部を押す部分の強度がさらに高められ、針が突き抜けるといった事態をより適確に防止することができる。
【００１２】
本考案のその他の特徴および利点は、添付図面を参照して以下に行う詳細な説明によって、より明らかとなろう。
【考案を実施するための最良の形態】
【００１３】
以下、本考案の好ましい実施の形態について、図面を参照して具体的に説明する。
【００１４】
図１〜図２は、本考案に係る指ぬきの一実施形態を示している。本実施形態の指ぬきＡは、人工皮革あるいは天然皮革を裁断して得られる帯材１を有し、この帯材１の長手方向両端部１ａ，１ｂどうしを縫合することにより、所定幅を有するリング状とされたものである。
【００１５】
図２によく表れているように、帯材１は、一枚の革製シート体１０を２重に折り畳むことにより、リング状の内側と外側に位置する２つの部分片１１，１２が重なり合うように構成されたものである。ここで、革製シート体１０は、表皮側が部分片１１，１２の表面として露出するように折り畳まれる。部分片１１，１２の間には、たとえば革製の補強片１３が挟まれている。
【００１６】
指ぬきＡの作製手順の一例を挙げると、まず、図３（ａ）によく表れているように、一定幅をもって帯状に延びる革製シート体１０を準備し、この革製シート体１０の短手方向の一端側に補強片１３をのせる。次いで、当該革製シート体１０の短手方向の他端側を補強片１３に被せるように折り畳むことにより、図３（ｂ）に表れているように、部分片１１，１２間に補強片１３が挟まれた状態となる。次いで、図３（ｃ）に表れているように、たとえば部分片１１，１２の短手方向の端部どうしをその長手方向に沿って縫着することにより、補強片１３が部分片１１，１２間に挟まれた３重積層構造の帯材１となる。なお、上記構成に代えて、革製シート体１０の部分片１１，１２を補強片１３に接着することにより、これらの３重積層構造を構成してもよい。ここで、必要に応じて帯材１の短手方向端部を揃えるようにカットする。そして、帯材１を長手方向に沿って丸め、その長手方向の両端部１ａ，１ｂどうしを突き合わせて縫合することにより、図１に表れている指ぬきＡが得られる。
【００１７】
本実施形態の指ぬきＡにおいては、革製のリング状とされているので、多少の伸縮性を有しており、内径寸法の融通性を備えている。このため、指ぬきＡの使用時には、当該指ぬきＡが指にぴったりとフィットし、装着感に優れている。革製の指ぬきＡであれば、当該指ぬきＡを介して指の側面部分を針の頭部に押し当てても、皮革素材の柔軟性によって針が滑ることはない。また、指ぬきＡが指にフィットしていることから、指の挿入方向、あるいは周方向にずれることもなく、使い勝手も良い。
【００１８】
本実施形態の指ぬきＡは、革製の帯材１の長手方向両端部１ａ，１ｂどうしを縫合して形成されたものであるので、周方向において略一様なエンドレスのリングとなっている。したがって、指への装着時には、指ぬきＡが指に対して周方向のいかなる位置にあっても、指を適切に保護することができる。
【００１９】
帯材１は、一定幅をもって帯状に延びる革製シート体１０をその短手方向に折り畳むことにより、部分片１１，１２が重なり合う構成とされている。これにより、部分片１１，１２が積層された状態となっているので、たとえば一枚革に比べて、針の頭部を押す部分の強度が実質的に高められる。したがって、繰り返し使用しても、指ぬきＡの厚み方向において針が突き抜けるといった事態を防止することができる。
【００２０】
本実施形態においては、部分片１１，１２の間に補強片１３が設けられているため、針の頭部を押す部分の強度がさらに高められ、針が突き抜けるといった事態をより適確に防止することができる。
【００２１】
本実施形態では、革製シート体１０は、その表皮側が露出するように折り畳まれているため、指ぬきＡの外観体裁が向上する。
【００２２】
以上、本考案の具体的な実施形態を説明したが、本考案はこれに限定されるものではなく、考案の思想から逸脱しない範囲内で種々な変更が可能である。本考案に係る指ぬきの各部の具体的な形状や材質なども、上記実施形態に限定されるものではない。
【００２３】
帯材としては、上記実施形態のような一枚の革製シート体１０が２重に折り畳まれた構成に限定されず、たとえば革製シート体の厚さに応じて、当該革製シート体を３重以上に折り畳んだ構成としてもよい。また、帯材は、別体からなる複数の革製シートを重ね合わせて構成してもよく、あるいは、一枚革を折り畳んだり重ねることなく用いてもよい。
【００２４】
補強片としては、上記実施形態のような革製のものに限定されず、たとえば樹脂製など他の材質のものを採用してもよい。また、補強片を設けるかどうかは選択事項であり、設けなくてもよい。
【００２５】
さらに、本考案に係る指ぬきは、使用者の指の太さに応じて、たとえば、Ｌサイズ、Ｍサイズ、Ｓサイズといった複数のサイズを準備することができる。
【図面の簡単な説明】
【００２６】
【図１】本考案に係る指ぬきの一例を示す斜視図である。
【図２】図１のＩＩ−ＩＩ線に沿う断面図である。
【図３】図１に示される指ぬきの作製手順の一例を説明する説明図である。
【図４】従来の指ぬきの一例を示す斜視図である。
【符号の説明】
【００２７】
Ａ      指ぬき
１      帯材
１ａ，１ｂ  （帯材の長手方向の）端部
１０    革製シート体
１１，１２    部分片
１３    補強片
【図１】
0003146885.tif 000003
【図２】
0003146885.tif 000004
【図３】
0003146885.tif 000005
【図４】
0003146885.tif 000006